(57)【要約】【課題】対物レンズをチルト制御する際において発生する対物レンズの共振をより軽減できる光ピックアップを提供する。【解決手段】本発明に係る光ピックアップ装置は、対物レンズと対物レンズを保持するレンズホルダと、対物レンズのチルトを制御するためにレンズホルダを回転させるアクチュエータとを備える。対物レンズは、複数の接着箇所に塗布された接着剤を介してレンズホルダに接着されている。対物レンズとレンズホルダとの接着箇所は、レンズホルダの回転軸と対物レンズの光軸とを含む平面に対して非対称である。【選択図】図２
2011150778.tif 000002
【特許請求の範囲】
【請求項１】
光ピックアップ装置であって、
対物レンズと、
前記対物レンズを保持するレンズホルダと、
前記対物レンズのチルトを制御するために前記レンズホルダを回転させるアクチュエータとを備え、
前記対物レンズは、複数の接着箇所に塗布された接着剤を介して前記レンズホルダに接着されており、
前記対物レンズと前記レンズホルダとの接着箇所は、前記レンズホルダの回転軸と前記対物レンズの光軸とを含む平面に対して非対称である、光ピックアップ装置。
【請求項２】
前記対物レンズと前記レンズホルダとの前記複数の接着箇所の数が奇数である、請求項１に記載の光ピックアップ装置。
【請求項３】
前記対物レンズは、樹脂材料で構成される、請求項１に記載の光ピックアップ装置。
【請求項４】
前記レンズホルダには、前記レンズホルダの回転軸と前記対物レンズの光軸とを含む平面に対して非対称に配置され、前記対物レンズの外周部の下面に接する複数の突起が設けられており、
前記対物レンズは、前記複数の突起によって支持された状態で前記レンズホルダに接着剤を介して接着される、請求項１に記載の光ピックアップ装置。
【請求項５】
前記対物レンズと前記レンズホルダとの前記複数の接着箇所は、前記対物レンズの周方向に等間隔に設けられる、請求項１に記載の光ピックアップ装置。
【請求項６】
光ピックアップ装置であって、
第１の対物レンズと、
第２の対物レンズと、
前記第１の対物レンズ及び前記第２の対物レンズを保持するレンズホルダと、
前記第１の対物レンズ及び前記第２の対物レンズのチルトを制御するために前記レンズホルダを回転させるアクチュエータとを備え、
前記第１の対物レンズ及び前記第２の対物レンズは、前記レンズホルダの回転軸に沿った方向に並べて配置され、
前記第１の対物レンズ及び前記第２の対物レンズの各々は、複数の接着箇所に塗布された接着剤を介して前記レンズホルダに接着されており、
前記第１の対物レンズと前記レンズホルダとの接着箇所は、前記レンズホルダの回転軸と前記第１の対物レンズの光軸とを含む平面に対して非対称であり、
前記第１の対物レンズと前記レンズホルダとの接着箇所は、前記レンズホルダの回転軸と前記第２の対物レンズの光軸とを含む平面に対して非対称である、光ピックアップ装置。
【請求項７】
光ピックアップ装置であって、
対物レンズと、
前記対物レンズを保持するレンズホルダと、
前記対物レンズのチルトを制御するために前記レンズホルダを回転させるアクチュエータとを備え、
前記レンズホルダには、前記レンズホルダの回転軸と前記対物レンズの光軸とを含む平面に対して非対称に配置され、前記対物レンズの外周部の下面に接する複数の突起が設けられており、
前記対物レンズは、前記複数の突起によって支持された状態で前記レンズホルダに接着剤を介して接着される、光ピックアップ装置。
【請求項８】
前記レンズホルダに設けられた前記複数の突起の数が奇数である、請求項７に記載の光ピックアップ装置。
【請求項９】
前記レンズホルダに設けられた前記複数の突起は、前記対物レンズの周方向に等間隔に設けられる、請求項７に記載の光ピックアップ装置。
【発明の詳細な説明】
【技術分野】
【０００１】
本発明は、対物レンズのチルト制御が可能な光ピックアップ装置に関する。
【背景技術】
【０００２】
データ転送速度が高速な光ディスクドライブでは、制御帯域を大きくするために、対物レンズを駆動する駆動機構の高次共振周波数を高くすることが求められる。この場合に、レンズホルダから対物レンズへと伝達される共振を低減する技術が、特許文献１に記載されている。特許文献１では、対物レンズが搭載されるレンズホルダに特別な構造を付加することなく、高次共振の周波数特性のピークを抑えるために、対物レンズをレンズホルダに接着する接着剤の塗布位置を高次共振での変形が小さな場所とすることが開示されている。
【先行技術文献】
【特許文献】
【０００３】
【特許文献１】特開２００４−１６４７１０号公報
【発明の概要】
【発明が解決しようとする課題】
【０００４】
光ピックアップ装置では、通常、対物レンズのチルト制御を行なうため、レンズホルダは、所定の回転軸の周りに回転自在となるように支持されている。レンズホルダが回転駆動されると、レンズホルダの材質や形状に依拠した固有の振動が発生し、レンズホルダを駆動する周波数よりも高い周波数の共振が対物レンズに発生する。
【０００５】
本発明は、対物レンズをチルト制御する際に発生する対物レンズの共振をより軽減できる光ピックアップ装置を提供することを目的とする。
【課題を解決するための手段】
【０００６】
本発明は、対物レンズと、対物レンズを保持するレンズホルダと、対物レンズのチルトを制御するためにレンズホルダを回転させるアクチュエータとを備える光ピックアップ装置に関する。対物レンズは、複数の接着箇所に塗布された接着剤を介してレンズホルダに接着される。対物レンズとレンズホルダとの接着箇所は、レンズホルダの回転軸と対物レンズの光軸とを含む平面に対して非対称である。
【０００７】
また、レンズホルダには、レンズホルダの回転軸と対物レンズの光軸とを含む平面に対して非対称に配置され、対物レンズの外周部の下面に接する複数の突起を設けても良い。対物レンズは、複数の突起によって支持された状態でレンズホルダに接着剤を介して接着される。
【発明の効果】
【０００８】
本発明によれば、レンズホルダの回転駆動によって生じた振動が対物レンズに及ぼす影響を軽減できる。
【図面の簡単な説明】
【０００９】
【図１】実施の形態に係る光ピックアップ装置の斜視図
【図２】図１に示されるレンズアクチュエータの斜視図
【図３】図２に示されるレンズアクチュエータの一部拡大図
【図４】図３に示されるレンズアクチュエータの上面図
【図５Ａ】図４に示されるＶ−Ｖラインに沿った断面図
【図５Ｂ】図５Ａに示されるレンズホルダ部分の上面図
【図６Ａ】図４に示されるＶＩ−ＶＩラインに沿った断面図
【図６Ｂ】図６Ａに示されるレンズホルダ部分の上面図
【図７Ａ】実施の形態に係る接着箇所とレンズホルダの回転との関係を説明するための図
【図７Ｂ】図７Ａに示されるＶＩＩ−ＶＩＩラインに沿った断面図
【図８】比較例に係る光ピックアップの斜視図
【図９】図８に示されるレンズアクチュエータの拡大上面図
【図１０Ａ】比較例に係る接着箇所とレンズホルダの回転との関係を説明するための図
【図１０Ｂ】図１０Ａに示されるＸ−Ｘラインに沿った断面図明するための図
【発明を実施するための形態】
【００１０】
＜１．光ピックアップ装置の構成＞
図１は、実施の形態に係る光ピックアップ装置の斜視図である。
【００１１】
光ピックアップ装置１は、光ディスクドライブに組み込まれ、光ディスクに記録された情報の読み出し、光ディスクに対する情報の記録、光ディスクに記録された情報の消去の少なくとも１つを行う。光ピックアップ１は、光学ベース１２と、光学ベース１２に取り付けられるレンズアクチュエータ１１とを含む。光学ベース１２には、図示しない半導体レーザ、レーザ駆動用ＩＣ、受光用ＩＣ、他の光学部品が更に取り付けられている。
【００１２】
図２は、図１に示されるレンズアクチュエータの斜視図であり、図３は、図２に示されるレンズアクチュエータの一部拡大図であり、図４は、図３に示されるレンズアクチュエータの上面図である。
【００１３】
レンズアクチュエータ１１は、ＤＶＤ／ＣＤ用の対物レンズ１１１と、ＢＤ用の対物レンズ１１２と、レンズホルダ１１５と、コイル１１６ａ〜１１６ｆと、マグネット１１７ａ及び１１７ｂと、ワイヤ１１８ａ及び１１８ｂと、アクチュエータベース１１９とを備える。
【００１４】
対物レンズ１１１は、ＤＶＤ用の波長の光とＣＤ用の波長の光との互換レンズである。対物レンズ１１２は、ＢＤ用の波長の光を集光するための専用レンズである。対物レンズ１１１及び１１２のいずれも、樹脂材料で作製しても良いし、硝子材料で作製しても良い。
【００１５】
レンズホルダ１１５は、対物レンズ１１１及び１１２を保持する部材であり、対物レンズ１１１及び１１２のチルト制御を行うため、図２及び３において１点鎖線で示す所定の回転軸を中心として回転自在となるように支持されている。対物レンズ１１１及び１１２は、レンズホルダ１１５の回転軸に沿った方向に並べて配置され、レンズホルダ１１５に形成された凹部に収容されている。対物レンズ１１１は、接着剤１１３ａ〜１１３ｃを介してレンズホルダ１１５に接着され、対物レンズ１１２は、接着剤１１４ａ〜１１４ｃを介してレンズホルダ１１５に接着されている。対物レンズ１１１及び１１２のレンズホルダ１１５への接着の詳細については後述する。
【００１６】
レンズホルダ１１５は、例えば、樹脂材料で構成される。図４に示されるように、対物レンズ１１１及び１１２の整列方向を長手方向とする略長方形状に形成されている。このように、２つの対物レンズ１１１及び１１２の配置に応じた形状を有するようにレンズホルダ１１５を形成することにより、レンズホルダ１１５の小型化及び軽量化が実現される。また、レンズホルダ１１５の長手方向と回転方向とが一致するため、回転駆動時にレンズホルダ１１５の捻れを抑制し、対物レンズ１１１及び１１２への振動の影響が軽減される。
【００１７】
コイル１１６ａ〜１１６ｆは、レンズホルダ１１５を駆動するためのものである。図４に示されるように、コイル１１６ａ〜１１６ｃは、レンズホルダ１１５の回転軸と交差する一対の側面の一方に取り付けられ、コイル１１６ｄ〜１１６ｆは、回転軸と交差する一対の側面の他方に取り付けられている。
【００１８】
アクチュエータベース１１９は、レンズホルダ１１５とマグネット１１７ａ及び１１７ｂを保持する部材である。レンズホルダ１１５は、金属製のバネ材よりなるワイヤ１１８ａ及び１１８ｂを介してアクチュエータベース１１９に取り付けられている。マグネット１１７ａは、コイル１１６ａ〜１１６ｃに対向する位置に固定され、マグネット１１７ｂは、コイル１１６ｄ〜１１６ｆに対向する位置に固定されている。アクチュエータベース１１９は、例えば、金属によって構成することができる。アクチュエータベース１１９は、図１で示した光学ベース１２に接着剤で固定される。
【００１９】
コイル１１６ａ〜１１６ｂに電流が流されると、マグネット１１７ａ及び１１７ｂの磁力を受けて、回転軸を中心とする回転方向、光軸と平行な方向、回転軸と直交する方向にレンズホルダ１１５を駆動する。このようなコイル１１６ａ〜１１６ｆとマグネット１１７ａ及び１１７ｂとの相互作用により、対物レンズ１１１及び対物レンズ１１２のチルト制御、フォーカス制御、トラッキング制御を行う。チルト制御時の回転中心となるレンズホルダ１１５の回転軸は、ワイヤ１１８の配置、コイル１１６の配置、レンズホルダ１１５の重心位置等に応じて定まる。
【００２０】
＜２．レンズホルダへの対物レンズの取り付け＞
ここで、対物レンズ１１１及び１１２とレンズホルダ１１５との接着構造の詳細を説明する。
【００２１】
図５Ａは、図４に示されるＶ−Ｖラインに沿った断面図であり、図５Ｂは、図５Ａに示されるレンズホルダ部分の上面図である。
【００２２】
対物レンズ１１１を収容する凹部には、光を通過させるための開口が形成されており、この開口を取り囲む支持部１２１によって対物レンズ１１１の外周部の下面が支持されている。より詳細には、支持部１２１の上面には、突起１２２ａ〜１２２ｃが設けられており、突起１２２ａ〜１２２ｃが対物レンズ１１１の外周部の下面に接している。突起１２２ａ〜１２２ｃは、レンズホルダ１１５の回転軸と対物レンズ１１１の光軸ＡＸ１とを含む平面Ｐに対して非対称に設けられている。また、本実施の形態では、突起１２２ａ〜１２２ｃは、対物レンズ１１１の周方向に等間隔に設けられている。
【００２３】
突起１２２ａ〜１２２ｃによって支持される対物レンズ１１１は、取り付け位置の微調整がなされた後、対物レンズ１１１とレンズホルダ１１５の凹部との間の空間に注入される接着剤１１３ａ〜１１３ｃを介して、レンズホルダ１１５に固定される。対物レンズ１１１とレンズホルダ１１５との複数の接着箇所は、レンズホルダ１１５の回転軸と対物レンズ１１１の光軸ＡＸ１とを含む平面Ｐに対して非対称となるように設けられている。更に、対物レンズ１１１とレンズホルダ１１５との複数の接着箇所は、対物レンズ１１１の周方向に等間隔に設けられている。
【００２４】
対物レンズ１１１を支持する突起１２２ａ〜１２２ｃの数は、奇数であることが好ましく、３箇所であることがより好ましい。これは、突起の数が少ない方が、レンズホルダ１１５の振動が対物レンズ１１１へ及ぼす影響を軽減できるからである。ただし、対物レンズ１１１を支持する複数の突起が、平面Ｐに対して非対称に配置されていれば、突起の数は任意の奇数または偶数で良い。
【００２５】
図６Ａは、図４に示されるＶＩ−ＶＩラインに沿った断面図であり、図６Ｂは、図６Ａに示されるレンズホルダ部分の上面図である。
【００２６】
図６Ａに示すように、対物レンズ１１１が突起１２２ａ〜１２２ｃの３点で支持されていたのに対し、対物レンズ１１２の外周部の下面は、面で支持されている。具体的には、対物レンズ１１２を収容する凹部には、光を通過させるための開口が形成されており、この開口を取り囲む支持部１２３の上面が対物レンズ１１２の外周部の下面に接触している。
【００２７】
支持部１２３に載置された対物レンズ１１２は、対物レンズ１１１の接着と同様に、取り付け位置の微調整がなされた後、対物レンズ１１２とレンズホルダ１１５の凹部との間の空間に注入される接着剤１１４ａ〜１１４ｃを介して、レンズホルダ１１５に固定される。対物レンズ１１２とレンズホルダ１１５との複数の接着箇所は、レンズホルダ１１５の回転軸と対物レンズ１１２の光軸ＡＸ２とを含む平面Ｐに対して非対称となるように設けられている。更に、対物レンズ１１２とレンズホルダ１１５との複数の接着箇所は、対物レンズ１１２の周方向に等間隔に設けられている。
【００２８】
尚、ＢＤ用の対物レンズ１１２を平面で支持し、ＤＶＤ／ＣＤ用の対物レンズ１１１を点で支持しているのは、より高い取り付け精度が必要な対物レンズ１１２を先にレンズホルダ１１５に取り付け、その後に、対物レンズ１１１の取り付け時に傾き調整を容易に行えるようにするためである。
【００２９】
対物レンズ１１１とレンズホルダ１１５との接着箇所の数は、奇数であることが好ましく、３箇所であることがより好ましい。これは、接着箇所の数が少ない方が、レンズホルダ１１５の振動が対物レンズ１１１へ及ぼす影響を軽減できるからである。同じ理由により、対物レンズ１１２とレンズホルダ１１５との接着箇所の数も、奇数であることが好ましく、３箇所であることがより好ましい。ただし、対物レンズ１１１（対物レンズ１１２）とレンズホルダ１１５との複数の接着箇所が、平面Ｐに対して非対称に配置されていれば、接着箇所の数は任意の奇数または偶数で良い。
【００３０】
対物レンズ１１１とレンズホルダ１１５との複数の接着箇所は、本実施の形態のように、対物レンズ１１１の周方向に等間隔に設けられることが好ましい。この場合、接着剤１１３ａ〜１１３ｃの応力による対物レンズ１１１の傾きを軽減できる。同じ理由により、対物レンズ１１２とレンズホルダ１１５との複数の接着箇所も、対物レンズ１１２の周方向に等間隔であることが好ましい。
【００３１】
＜３．本実施の形態に係る光ピックアップ装置における共振の抑制＞
以下、本実施の形態に係る光ピックアップ装置において共振が抑制される理由を説明する。本発明の理解を容易にするため、以下では、比較例と本実施の形態とを対比して説明する。また、図７Ａ、７Ｂ、１０Ａ及び１０Ｂの説明では、説明を簡略化するために、平面Ｐまたは平面Ｐ’から接着剤の塗布位置までの距離を用いてトルクを表しているが、厳密には、レンズホルダ１１５のまたは平面Ｐ’からの距離を用いているが、厳密には、トルクを表すために用いる距離は、レンズホルダ１１５の回転軸から接着剤までの距離である。
【００３２】
レンズホルダは、材質及び形状に依拠して振動する。レンズホルダの振動の要因としては、捻れやたわみ等が考えられる。レンズホルダの振動は対物レンズに伝わる。このとき、レンズホルダの振動周波数と対物レンズの振動周波数とが近似すると、対物レンズの振動振幅が増大することを、本発明の発明者は見出した。対物レンズが振動した場合、対物レンズを通過した光の光軸が変動したり、スポット径が変動したりするなどの影響が生じる。光軸やスポット系が変動すると、レンズホルダのチルト制御、フォーカス制御、トラッキング制御を行なうための検出信号にノイズが生じる。この結果、光ピックアップ装置の制御の精度が低くなる。
【００３３】
図８は、比較例に係る光ピックアップ装置の斜視図であり、図９は、図８に示されるレンズアクチュエータの拡大上面図である。
【００３４】
比較例に係るレンズアクチュエータ２１は、ＤＶＤ／ＣＤ用の対物レンズ２１１とレンズホルダ２１５とを接着する接着剤２１３ａ〜２１３ｃの配置と、ＢＤ用の対物レンズ２１２とレンズホルダ２１５とを接着する接着剤２１４ａ〜２１４ｃの配置において、本実施の形態に係るアクチュエータ１１と異なる。図９に示されるように、接着剤２１３ａ〜２１３ｃは、レンズホルダ２１５の回転軸と、対物レンズ２１１の光軸ＡＸ１’と、対物レンズ２１２の光軸ＡＸ２’とを含む平面Ｐ’に対して対称な位置に塗布されている。同様に、接着剤２１４ａ〜２１４ｃも、平面Ｐ’に対して対称な位置に塗布されている。
【００３５】
図１０Ａは、比較例に係る接着箇所とレンズホルダの回転との関係を説明するための図であり、図１０Ｂは、図１０Ａに示されるＸ−Ｘラインに沿った断面図である。
【００３６】
図１０Ａに示されるように、接着剤２１４ａ〜２１４ｂの塗布位置が、レンズホルダ２１５の回転軸と対物レンズ２１２の光軸ＡＸ２’とを含む平面Ｐ’に対して対称である場合、平面Ｐ’から接着剤２１４ｂまでの距離ｒ３と、平面Ｐ’から接着剤２１４ｃまでの距離ｒ４とは等しい。また、レンズホルダ２１５から接着剤２１４ｂを介して対物レンズ２１２に加わる力Ｐ３と、レンズホルダ２１５から接着剤２１４ｃを介して対物レンズ２１２に加わる力Ｐ４とも等しい。したがって、図１０Ａ及び１０Ｂにおいて、対物レンズ２１２の左側に作用するトルク（ｒ３×Ｐ３）と、対物レンズ２１２の右側に作用するトルク（ｒ４×Ｐ４）とが一致する。この結果、対物レンズ２１２に作用するトルクの重心が平面Ｐ’上、すなわち、レンズホルダ２１５の回転軸の上方に位置するため、レンズホルダ２１５の振動周波数と、対物レンズ２１２の振動周波数とが近似する。このような理由により、比較例に係る接着剤の塗布箇所を採用した場合、対物レンズ２１２の振動振幅が大きくなる。
【００３７】
図７Ａは、実施の形態に係る接着箇所とレンズホルダの回転との関係を説明するための図であり、図７Ｂは、図７Ａに示されるＶＩＩ−ＶＩＩラインに沿った断面図である。
【００３８】
そこで、レンズホルダ１１５の振動周波数と、対物レンズ１１１及び１１２の振動周波数とが近似しないようにすれば、上記のような共振の問題を解決することが可能である。ここで、レンズホルダ１１５から対物レンズ１１１及び１１２に振動が伝達する２つのルート、すなわち、接着剤１１３ａ〜１１３ｃ及び１１４ａ〜１１４ｃを介するルートと、レンズホルダ１１５と対物レンズ１１１及び１１２との接触箇所を介するルートとがある。そのため、レンズホルダ１１５と対物レンズ１１１との接触箇所が小さい場合、接着剤を介して伝達される振動の影響が大きくなる。
【００３９】
ただし、本実施の形態では、図７Ａに示されるように、接着剤１１３ａ〜１１３ｃの塗布位置が、レンズホルダ１１５の回転軸と対物レンズ１１１の光軸ＡＸ１とを含む平面Ｐに対して非対称に配置されている。したがって、平面Ｐから接着剤１１３ｂ及び１１３ｃまでの距離ｒ１と、平面Ｐから接着剤１１３ａまでの距離ｒ２とが相違する。したがって、図７Ａ及び７Ｂにおいて、対物レンズ１１１の左側に作用するトルク（２×ｒ１×Ｐ１）と、対物レンズ１１１の右側に作用するトルク（ｒ２×Ｐ２）とを異ならせることができる。この結果、対物レンズ１１１に作用するトルクの重心を平面Ｐ上、すなわち、レンズホルダ１１５の回転軸の上方からずらし、レンズホルダ２１５の振動周波数と対物レンズ１１１の振動周波数との近似を回避することができる。このような理由により、本実施の形態に係る接着剤１１３ａ〜１１３ｃの塗布箇所を採用した場合、対物レンズ１１１の振動振幅の増大を抑制できる。
【００４０】
ＢＤ用の対物レンズ１１２とレンズホルダ１１５との接着箇所も同様に、平面Ｐに対して非対称に設けられているため、ＤＶＤ／ＣＤ用の対物レンズ１１１と同じ理由により、対物レンズ１１２の振動振幅の増大を抑制できる。
【００４１】
更に、レンズホルダ１１５に設けられた、対物レンズ１１１を支持する突起１２２ａ〜１２２ｃも上述の平面Ｐに対して非対称に配置されている。したがって、接着剤１１３ａ〜１１３ｃを非対称に配置したのと同じ原理により、対物レンズ１１１の振動周波数を、レンズホルダ１１５の振動周波数と異ならせることができ、対物レンズ１１１の振動振幅の増大を抑制できる。
【００４２】
本実施の形態では、対物レンズ１１１をレンズホルダ１１５に取り付けるために、平面Ｐに対して非対称な接着剤１１３ａ〜１１３ｃと、突起１２２ａ〜１２２ｃとを組み合わせているが、いずれか一方のみを適用しても良い。すなわち、ＢＤ用の対物レンズ１１２の取付構造のように、対物レンズ１１１の外周部の下面を面で支持して、接着剤１１３ａ〜１１３ｃの塗布位置を上述の平面Ｐに対して非対称に配置しても良い。あるいは、平面Ｐに対して非対称ではない複数の突起で対物レンズ１１１の外周部の下面を支持し、接着剤１１３ａ〜１１３ｃの塗布位置を平面Ｐに対して非対称に配置しても良い。逆に、接着剤の塗布位置を平面Ｐに対して非対称ではないように配置し、対物レンズ１１１を支持する突起１２２ａ〜１２２ｃを平面Ｐに対して非対称に配置しても良い。これらのいずれの取付構造を採用した場合でも、対物レンズ１１１の支持部分と接着剤の塗布位置の両方を平面Ｐに対して対称に配置する場合と比べて、共振の影響を低減することができる。
【００４３】
ただし、本実施の形態のように、非対称な接着剤の塗布位置と、非対称な突起とを組み合わせることにより、対物レンズに対する影響を更に軽減することができる。ＤＶＤ／ＣＤ用の対物レンズ１１１は、樹脂材料で作製されることが多いが、樹脂は硝子材料と比べて剛性が低く軽いため、レンズホルダ１１５からの振動が伝達しやすい。したがって、対物レンズを樹脂材料で作製する場合には、本実施の形態の対物レンズ１１１の取付構造を採用することが好ましい。ＢＤ用の対物レンズ１１２は、硝子材料で作製されることが多いため、本実施の形態のように面で支持することができるが、対物レンズ１１１と同様に非対称な突起で支持しても良い。
【産業上の利用可能性】
【００４４】
本発明は、光ディスクドライブなどに用いられる光ピックアップに適用可能である。
【符号の説明】
【００４５】
１  光ピックアップ装置
１１  レンズアクチュエータ
１１１  対物レンズ
１１２  対物レンズ
１１３ａ〜１１３ｃ  接着剤
１１４ａ〜１１４ｃ  接着剤
１１５  レンズホルダ
１２２ａ〜１２２ｃ  突起
Ｐ  平面
【図１】
2011150778.tif 000003
【図２】
2011150778.tif 000004
【図３】
2011150778.tif 000005
【図４】
2011150778.tif 000006
【図５Ａ】
2011150778.tif 000007
【図５Ｂ】
2011150778.tif 000008
【図６Ａ】
2011150778.tif 000009
【図６Ｂ】
2011150778.tif 000010
【図７Ａ】
2011150778.tif 000011
【図７Ｂ】
2011150778.tif 000012
【図８】
2011150778.tif 000013
【図９】
2011150778.tif 000014
【図１０Ａ】
2011150778.tif 000015
【図１０Ｂ】
2011150778.tif 000016